(57)【要約】【課題】通行者が、ＩＤ情報を再照合する手間を省き、ハンズフリー式のものに対応することができる入退出管理装置、及び入退出管理方法を得る。【解決手段】ＩＣタグ４からＩＤ情報を読み取るＩＣタグ検出部１１、ＩＤ情報と、あらかじめ記憶部に記憶されている通行可能ＩＤ情報との一致／不一致を照合するＩＤ照合部１２、照合結果に基づき、扉の施解錠制御を行う扉施解錠制御部１４を備えた入退出管理装置であって、扉施解錠制御部１４により解錠されていた扉が施錠されたタイミングで、ＩＣタグ検出部１１から最新のＩＤ情報を取得するとともに、ＩＤ照合部１２から照合済みの通行可能ＩＤ情報を取得し、最新のＩＤ情報と照合済みの通行可能ＩＤ情報とを再照合するＩＤ情報再照合部１６、及び再照合結果が一致した場合には扉を再度解錠する。【選択図】図２
2014219757.tif 000002
【特許請求の範囲】
【請求項１】
通行者が所持しているＩＣタグからＩＤ情報を読み取るＩＣタグ検出部、
上記ＩＤ情報と、あらかじめ記憶部に記憶されている通行可能ＩＤ情報との一致／不一致を照合するＩＤ照合部、及び
上記ＩＤ照合部による上記ＩＤ情報の照合結果に基づき、扉の施解錠制御を行うことで、上記通行者の通行管理を行う扉施解錠制御部
を備えた入退出管理装置であって、
上記ＩＤ照合部による上記ＩＤ情報の照合結果に基づいて上記扉施解錠制御部により解錠されていた上記扉が施錠されたタイミングで、上記ＩＣタグ検出部が読み取った最新のＩＤ情報を取得するとともに、上記ＩＤ照合部により一致したとして照合済みの通行可能ＩＤ情報を取得し、上記最新のＩＤ情報と上記照合済みの通行可能ＩＤ情報とを再照合するＩＤ情報再照合部、及び
上記ＩＤ情報再照合部による照合結果が一致した場合には、上記通行者が上記扉を通行できずにいると判断し、上記通行者に対して通行許可の判定をする通行許可済み判定部
をさらに備え、
前記扉施解錠制御部は、上記通行許可済み判定部により通行許可の判定がなされた場合には、上記扉を再度解錠する
入退出管理装置。
【請求項２】
上記ＩＣタグ検出部は、上記扉施解錠制御部により上記扉が解錠されてから上記扉が施錠されるまでの間、上記ＩＤ情報と同じＩＤ情報を読み捨てる請求項１に記載の入退出管理装置。
【請求項３】
上記ＩＣタグ検出部は、
上記扉施解錠制御部により上記扉が解錠されてから上記扉が施錠されるまでの間、一度読み取った上記ＩＤ情報を持つ上記ＩＣタグに対して、応答停止を指示する情報を送り、
上記扉施解錠制御部により上記扉が解錠状態から施錠状態に切り替わった後は、応答停止している上記ＩＣタグに対して、再起動する情報を送る
請求項１に記載の入退出管理装置。
【請求項４】
通行可能ＩＤ情報を記憶部にあらかじめ記憶させておく記憶ステップ、
通行者が所持しているＩＣタグからＩＤ情報を読み取るＩＣタグ検出ステップ、
上記ＩＤ情報と、上記記憶部にあらかじめ記憶されている上記通行可能ＩＤ情報との一致／不一致を照合するＩＤ照合ステップ、及び
上記ＩＤ照合ステップによる上記ＩＤ情報の照合結果に基づき、扉の施解錠制御を行うことで、上記通行者の通行管理を行う扉施解錠制御ステップ
を備えた入退出管理方法であって、
上記ＩＤ照合ステップによる上記ＩＤ情報の照合結果に基づいて上記扉施解錠制御ステップにより解錠されていた上記扉が施錠されたタイミングで、上記ＩＣタグ検出ステップが読み取った最新のＩＤ情報を取得するとともに、上記ＩＤ照合ステップにより一致したとして照合済みの通行可能ＩＤ情報を取得し、上記最新のＩＤ情報と上記照合済みの通行可能ＩＤ情報とを再照合するＩＤ情報再照合ステップ、及び
上記ＩＤ情報再照合ステップによる照合結果が一致した場合には、上記通行者が上記扉を通行できずにいると判断し、上記通行者に対して通行許可の判定をする通行許可済み判定ステップ
をさらに備える
入退出管理方法。
【発明の詳細な説明】
【技術分野】
【０００１】
この発明は、通行者が、識別装置等にＩＣタグ付き通行証をかざすこと無く入退出できる入退出管理装置、及び入退出管理方法に関するものである。
【背景技術】
【０００２】
入退出管理装置が、通行者のＩＤ情報を照合した結果、通行者に対して通行許可の判断が行われると、扉が解錠される。これにより、通行者は、出入口を通過できるようになる。しかし、通行者が複数人存在している場合、後に並んでいる通行者は、通行許可になったにも関わらず、入退出する前に扉が閉じてしまい、出入口を通過できないことがあった。このため、ＩＤ情報を入退出管理装置で再照合する必要があり、通行者の手間が増えてしまう。
【０００３】
また、他の通行者と一緒に入退出する共連れの防止や厳密な入退出管理を行うことができるアンチパス機能が用いられた入退出管理装置では、扉の同じ側からＩＤ情報の再照合ができないシステムになっている。このため、出入口を通過できなかった通行者は、管理者に連絡を行って、管理者に扉を解錠してもらう必要があり、通行者の手間と時間とがかかってしまう。
【０００４】
これを解決するために、通行許可されている通行者が、何らかの理由で入退出できなかったことを検出する通行不能判定部を備えている入退出管理装置が従来から知られている。通行不能判定部には、扉の開閉時間測定機や通過センサ等が用いられている。開閉時間測定機は、扉の開時間が規定された時間よりも短いことを検出している。通過センサは、通過センサに反応が無いこと、または通行者が通るべき方向から通過センサを通過していないこと等を検出している。これらの検出結果により、通行を許可された通行者が扉を通過できていないまま扉が閉じたと判断した場合には、入退出管理装置は、扉の開時間の延長や、扉を再度開状態にする管理を行っている（例えば、特許文献１参照）。
【０００５】
また、扉が施錠されるまでの時間を管理するタイマ部が設けられたアンチパス機能が用いられた入退出管理装置も従来から知られている。このような入退出管理装置は、ＩＤ情報を認識してから一定時間内であれば、ＩＣカード等を認証データ取得装置にかざすことで、扉の同じ側からＩＤ情報の再照合を可能としている（例えば、特許文献２参照）。
【先行技術文献】
【特許文献】
【０００６】
【特許文献１】特開２０１２−５７３５９号公報
【特許文献２】特開２００６−１３８０８０号公報
【発明の概要】
【発明が解決しようとする課題】
【０００７】
しかしながら、従来技術には、以下のような課題がある。
特許文献１及び特許文献２に示されている入退出管理装置は、通行者が出入口を通行できない状況を減少させることはできるものの、通行者が通過できなかった場合の再照合に手間がかかる問題は解決できていない。また、特許文献１及び特許文献２共にＩＣカード等を認証データ取得装置にかざしてＩＤ情報を照合させる入退出管理装置に特化しており、ハンズフリー式の入退出管理装置には対応していない。
【０００８】
ハンズフリー式の入退出管理装置において、一度照合したＩＣカード等のＩＤ情報を再照合させるためには、扉から一定距離のＩＤ情報認識エリア外に出る必要がある。これにより、通行者は、扉から一定距離移動してから再度扉に近付く必要があり、通行者の手間がかかってしまう。
【０００９】
また、通行者には、どこまでがＩＤ情報認識エリアであるかの判断が困難である。このため、一定距離移動してから扉に戻ってきても、ＩＤ情報の再照合が行われるか分からず、利便性に問題があった。
【００１０】
この発明は、上記のような課題を解決するためになされたものであり、通行者が、ＩＤ情報を再照合する手間を省き、ハンズフリー式のものに対応することができる入退出管理装置、及び入退出管理方法を得ることを目的とする。
【課題を解決するための手段】
【００１１】
この発明による入退出管理装置は、通行者が所持しているＩＣタグからＩＤ情報を読み取るＩＣタグ検出部、ＩＤ情報と、あらかじめ記憶部に記憶されている通行可能ＩＤ情報との一致／不一致を照合するＩＤ照合部、及びＩＤ照合部によるＩＤ情報の照合結果に基づき、扉の施解錠制御を行うことで、通行者の通行管理を行う扉施解錠制御部を備えた入退出管理装置であって、ＩＤ照合部によるＩＤ情報の照合結果に基づいて扉施解錠制御部により解錠されていた扉が施錠されたタイミングで、ＩＣタグ検出部が読み取った最新のＩＤ情報を取得するとともに、ＩＤ照合部により一致したとして照合済みの通行可能ＩＤ情報を取得し、最新のＩＤ情報と照合済みの通行可能ＩＤ情報とを再照合するＩＤ情報再照合部、及びＩＤ情報再照合部による照合結果が一致した場合には、通行者が扉を通行できずにいると判断し、通行者に対して通行許可の判定をする通行許可済み判定部をさらに備え、前記扉施解錠制御部は、通行許可済み判定部により通行許可の判定がなされた場合には、扉を再度解錠する。
【００１２】
また、この発明による入退出管理方法は、通行可能ＩＤ情報を記憶部にあらかじめ記憶させておく記憶ステップ、通行者が所持しているＩＣタグからＩＤ情報を読み取るＩＣタグ検出ステップ、ＩＤ情報と、記憶部にあらかじめ記憶されている通行可能ＩＤ情報との一致／不一致を照合するＩＤ照合ステップ、及びＩＤ照合ステップによるＩＤ情報の照合結果に基づき、扉の施解錠制御を行うことで、通行者の通行管理を行う扉施解錠制御ステップを備えた入退出管理方法であって、ＩＤ照合ステップによるＩＤ情報の照合結果に基づいて扉施解錠制御ステップにより解錠されていた扉が施錠されたタイミングで、ＩＣタグ検出ステップが読み取った最新のＩＤ情報を取得するとともに、ＩＤ照合ステップにより一致したとして照合済みの通行可能ＩＤ情報を取得し、最新のＩＤ情報と照合済みの通行可能ＩＤ情報とを再照合するＩＤ情報再照合ステップ、及びＩＤ情報再照合ステップによる照合結果が一致した場合には、通行者が扉を通行できずにいると判断し、通行者に対して通行許可の判定をする通行許可済み判定ステップをさらに備える。
【発明の効果】
【００１３】
この発明によれば、扉が閉じたタイミングで、ＩＤ情報認識エリア内の通行人の再照合を行い、前回の照合時に通行を許可されたＩＤ情報と同じＩＤ情報の通行者がいるときには再び扉を解錠することにより、通行者が、ＩＤ情報を再照合する手間を省き、ハンズフリー式のものに対応することができる入退出管理装置、及び入退出管理方法を得ることができる。
【図面の簡単な説明】
【００１４】
【図１】この発明の実施の形態１における入退出管理装置を備えた出入口付近を示す全体図である。
【図２】この発明の実施の形態１における入退出管理装置を示す構成図である。
【図３】図１のＩＣタグ検出部の動作の例を時間軸上に示した構成図である。
【図４】この発明の実施の形態１における入退出管理装置の一連動作を示すフローチャートである。
【図５】この発明の実施の形態２における入退出管理装置を示す構成図である。
【図６】この発明の実施の形態２におけるＩＣタグ検出部の動作の例を時間軸上に示した構成図である。
【発明を実施するための形態】
【００１５】
実施の形態１．
図１は、この発明の実施の形態１における入退出管理装置を備えた出入口付近を示す全体図である。図１に示すように、出入口の扉１付近の天井２には入退出管理装置１０が設置されている。また、入退出管理装置１０は、扉１から一定の範囲内（例えば、２〜３メートル）であるＩＤ情報認識エリア３内にいるＩＣタグ４を所持している通行者５を感知できる位置に設置されている。この例では、出入口の扉１は、手動により開閉される開閉扉１を用いているが、扉１の施錠及び解錠は、入退出管理装置１０により行われる。
【００１６】
図２は、この発明の実施の形態１における入退出管理装置１０を示す構成図である。図２において、入退出管理装置１０は、ＩＣタグ検出部１１、ＩＤ照合部１２、通行判定部１３、扉施解錠制御部１４、扉状態検出部１５、ＩＤ情報再照合部１６、及び通行許可済み判定部１７を有している。
【００１７】
ＩＣタグ検出部１１は、ＩＤ情報認識エリア３内にあるＩＣタグ４を検出する。また、ＩＣタグ検出部１１は、ＩＤ情報検出部１１ａとＩＤ情報読み捨て部１１ｂとを有している。
【００１８】
ＩＤ情報検出部１１ａは、ＩＣタグ４を所持している通行者５がＩＤ情報認識エリア３内に入ったとき、通行者５のＩＣタグ４から通行者５のＩＤ情報を読み取る。ＩＤ情報検出部１１ａは、ＩＣタグ４を所持している通行者５が複数いるときは、通行者５全てのＩＤ情報を読み取る。ＩＤ情報検出部１１ａは、読み取ったＩＤ情報をＩＤ照合部１２に送る。ＩＤ情報読み捨て部１１ｂについては、後述する。
【００１９】
ＩＤ照合部１２は、あらかじめ通行可能ＩＤ情報が記憶された記憶部（図示せず）を有している。ＩＤ照合部１２は、ＩＤ情報検出部１１ａから受け取ったＩＤ情報を、記憶されている通行可能ＩＤ情報と照らし合わせる。ＩＤ照合部１２は、ＩＤ情報が通行可能ＩＤ情報内にあるか否かの情報を通行判定部１３に送る。
【００２０】
通行判定部１３は、ＩＤ照合部１２から送られてくるＩＤ情報が通行可能ＩＤ情報内にあるか否かの情報から、通行者５の通行許可または通行不可を判定する。通行判定部１３は、ＩＤ情報が通行可能ＩＤ情報内にあれば通行許可と判定し、通行許可の情報を扉施解錠制御部１４に送る。一方、通行判定部１３は、ＩＤ情報が通行可能ＩＤ情報内に無ければ、通行不可の情報を扉施解錠制御部１４に送る。
【００２１】
扉施解錠制御部１４は、通行判定部１３から送られてくる通行許可または通行不可の情報から、扉１の施解錠を制御する。扉施解錠制御部１４は、通行判定部１３から通行許可の情報を受け取ったとき、扉１を解錠する。一方、扉施解錠制御部１４は、通行判定部１３から通行不可の情報を受け取ったとき、扉１を解錠しない。扉施解錠制御部１４は、扉１を解錠したとき、扉１を解錠した情報を扉状態検出部１５に送る。
【００２２】
扉状態検出部１５は、扉施解錠制御部１４から扉１を解錠した情報を受け取ると、扉１の開閉を検出する。扉状態検出部１５は、扉１に設けられた扉開閉スイッチ（図示せず）に接続されている。扉開閉スイッチは、扉１の開閉に合わせてスイッチのオン／オフ状態が切り換わる。この例では、スイッチがオンの状態を扉閉状態とし、スイッチがオフの状態を扉開状態とする。扉状態検出部１５は、不開扉検出部１５ａと閉扉時検出部１５ｂとを有している。
【００２３】
不開扉検出部１５ａは、扉施解錠制御部１４により扉１が解錠されたにも関わらず、扉開閉スイッチがオンのまま（扉１が閉じたまま）である状態を検出する。不開扉検出部１５ａは、扉１が開かれることなく一定時間（例えば、１０秒間）が経過した場合、通行者５が存在しないと判断する。不開扉検出部１５ａは、通行者５が存在しない情報を扉施解錠制御部１４に送る。これを受けて、扉施解錠制御部１４は、扉１を施錠する。
【００２４】
閉扉時検出部１５ｂは、扉施解錠制御部１４により扉１が解錠された状態で、扉開閉スイッチがオフからオンになる（扉１が一旦開かれてから閉じられる）タイミングを検出する。閉扉時検出部１５ｂは、扉１が閉じられたタイミングで、扉１が閉じた情報を扉施解錠制御部１４、ＩＤ情報再照合部１６、及びＩＣタグ検出部１１に送る。扉施解錠制御部１４は、閉扉時検出部１５ｂから扉１が閉じた情報を受け取ると、扉１を施錠する。従って、扉１が閉じた直後に、扉１は施錠される。
【００２５】
ＩＤ情報再照合部１６は、閉扉時検出部１５ｂから扉１が閉じた（施錠された）情報を受け取ったタイミングで、ＩＤ情報検出部１１ａからＩＤ情報認識エリア３内の最新のＩＤ情報（扉閉後最新ＩＤ情報）を取得する。また、ＩＤ情報再照合部１６は、扉閉後最新ＩＤ情報を取得すると同時に、ＩＤ照合部１２から既に通行可能ＩＤ情報と一致したとして照合済みの通行許可が出ている通行者５のＩＤ情報（許可済みＩＤ情報）も取得する。ＩＤ情報再照合部１６は、取得した扉閉後最新ＩＤ情報及び許可済みＩＤ情報を照らし合わせ、同じＩＤ情報（同一ＩＤ情報）が含まれているか否かを検出（再照合）する。ＩＤ情報再照合部１６は、同一ＩＤ情報が含まれているか否かの情報を通行許可済み判定部１７に送る。
【００２６】
通行許可済み判定部１７は、ＩＤ情報再照合部１６から同一ＩＤ情報が含まれている情報を受け取った場合、再通行許可の情報を扉施解錠制御部１４に送る。一方、通行許可済み判定部１７は、ＩＤ情報再照合部から同一ＩＤ情報が含まれていない情報を受け取った場合、扉施解錠制御部１４に情報を送らない。
【００２７】
扉施解錠制御部１４は、通行許可済み判定部１７から再通行許可の情報を受け取った場合、扉１を再度解錠する。一方、扉施解錠制御部１４は、通行許可済み判定部１７から情報が受け渡されない場合、扉１を解錠することはない。
【００２８】
図３は、図１のＩＣタグ検出部１１の動作の例を時間軸上に示した構成図である。図３に示すように、ＩＣタグ検出部１１は、常時ＬＦ送信（Ｌｏｗ  Ｆｒｅｑｕｅｎｃｙ）を行ってＩＣタグ４の読み取りを行っている。この結果、ＩＣタグ４は、ＬＦ送信を受けてＩＤ情報をＲＦ（Ｒａｄｉｏ  Ｆｒｅｑｕｅｎｃｙ）送信し続けて応答する。このため、ＩＣタグ検出部１１では、一度読み取ったＩＤ情報も常にＩＣタグ検出部１１に複数回応答がくる。
【００２９】
ＩＤ情報読み捨て部１１ｂは、ＩＤ情報検出部１１ａがＩＤ情報を取得して（読み取って）から、ＩＤ情報読み捨て部１１ｂが、閉扉時検出部１５ｂから扉１が閉じた情報を受け取るまでの間に複数回応答がくる同じＩＤ情報を読み捨てている。即ち、扉施解錠制御部１４により扉１が解錠されてから扉１が施錠されるまでの間、ＩＤ情報読み捨て部１１ｂは、ＩＤ情報検出部１１ａで読み取られたＩＤ情報と同じＩＤ情報を読み捨てる。
【００３０】
その後、ＩＤ情報読み捨て部１１ｂは、閉扉時検出部１５ｂから送られてくる扉１が閉じた（施錠された）情報を受け取ったタイミングから、読み捨てを停止する。ＩＤ情報読み捨て部１１ｂが、読み捨てを停止すると同時にＩＤ情報検出部１１ａは、ＩＤ情報認識エリア３にある通行者５が所持しているＩＣタグ４全てからＩＤ情報を検出し始める。従って、扉閉後最新ＩＤ情報には、ＩＤ情報認識エリア３内のＩＤ情報全てが取得される。
【００３１】
図４は、この発明の実施の形態１における入退出管理装置１０の一連動作を示すフローチャートである。図４に示すように、ＩＣタグ検出部１１は、ＩＤ情報認識エリア３にあるＩＣタグ４を検出する（ステップＳ１０１）。ステップＳ１０１でＩＣタグ４を検出しない場合、ＩＣタグ４を検出するステップＳ１０１に戻る。
【００３２】
一方、ステップＳ１０１でＩＣタグ４を検出した場合、ＩＤ照合部１２は、ＩＤ情報検出部１１ａでＩＣタグ４から検出されたＩＤ情報と、ＩＤ照合部１２にあらかじめ記憶されている通行可能ＩＤ情報とを照合する。また、ＩＤ照合部１２が、検出されたＩＤ情報が通行可能ＩＤ情報内にあるか否かを判断し、通行判定部１３が、通行者５の通行許可をするか否かを判定する（ステップＳ１０２）。ステップＳ１０２で検出されたＩＤ情報が通行可能ＩＤ情報内に無く、通行不可と判定されると、ＩＣタグ４を検出するステップＳ１０１に戻る。
【００３３】
一方、ステップＳ１０２で検出されたＩＤ情報が通行可能ＩＤ情報内にあり、通行許可と判定されると、扉施解錠制御部１４は、扉１を解錠する（ステップＳ１０３）。ステップＳ１０３で扉１が解錠されると、不開扉検出部１５ａは、扉１が開けられたか否かを扉開閉スイッチから検出する（ステップＳ１０４）。ここで、扉１が閉じられたまま一定時間が経過した場合、扉施解錠制御部１４により扉１が施錠される（ステップＳ１０５）。ステップＳ１０５で扉１が施錠されると、ＩＣタグ４を検出するステップＳ１０１に戻る。
【００３４】
一方、ステップＳ１０４で扉１が開かれた場合、閉扉時検出部１５ｂは、扉１が閉状態になるタイミングを扉開閉スイッチから検出する（ステップＳ１０６）。ステップＳ１０６で扉１が開状態である場合、閉扉時検出部１５ｂが、扉１が閉状態になった（施錠された）情報を得られない。このため、閉扉時検出部１５ｂは、扉１が閉状態になる（施錠される）タイミングを扉開閉スイッチから検出するステップＳ１０６を繰り返す。
【００３５】
一方、ステップＳ１０６により、扉１が閉状態になった（施錠された）ことを検出したタイミングで、ＩＣタグ検出部１１は、ＩＤ情報読み捨て部１１ｂによって読み捨てられていたＩＣタグ４も含め、ＩＤ情報認識エリア３内にあるＩＣタグ４があるか否かを検出する（ステップＳ１０７）。ステップＳ１０７でＩＣタグ４が検出されない場合、入退出管理装置１０は、作業を終了する。
【００３６】
一方、ステップＳ１０７でＩＣタグ４が検出された場合、ＩＤ情報再照合部１６は、ＩＤ情報検出部１１ａから扉閉後最新ＩＤ情報を、ＩＤ照合部１２から許可済みＩＤ情報を取得し、同一ＩＤ情報があるか否かを検出（再検出）する（ステップＳ１０８）。ステップＳ１０８で同一ＩＤ情報が検出（再検出）されない場合、入退出管理装置１０は、作業を終了する。
【００３７】
一方、ステップＳ１０８で同一ＩＤ情報が検出（再検出）された場合、扉施解錠制御部１４は、通行許可済み判定部１７から送られてくる再通行許可の情報を受けて扉１を解錠する（ステップＳ１０９）。ステップＳ１０９により扉１が解錠されると、入退出管理装置１０は作業を終了する。その後、フローチャートには示されていないが、ＩＣタグ４を検出するステップＳ１０１に戻る。
【００３８】
本発明の実施の形態１における入退出管理装置１０では、閉扉時検出部１５ｂにより扉１が開状態から閉状態になったことをＩＤ情報再照合部１６が受け取るので、ＩＤ情報再照合部１６は、扉１が閉じた（施錠された）タイミングでの扉閉後最新ＩＤ情報及び許可済みＩＤ情報を取得することができる。また、ＩＤ情報再照合部１６は、取得した扉閉後最新ＩＤ情報及び許可済みＩＤ情報から同一ＩＤ情報を検出するので、通行許可になった通行者５が出入口を通行できていないことを検出することができる。さらに、同一ＩＤ情報が検出された場合、通行許可済み判定部１７が、扉施解錠制御部１４に扉１を解錠する情報を送るので、扉１は、解錠される。これにより、検出されたＩＤ情報は、自動的に再認証されたことになる。また、ハンズフリー式の入退出管理装置１０を用いた場合でも、通行者５が、ＩＤ情報認識エリア３の外に出てから戻ってくる手間も省くことができる。
【００３９】
さらに、ＩＣタグ検出部１１では、ＩＤ情報検出部１１ａが一度読み取ったＩＤ情報は、ＩＤ情報読み捨て部１１ｂにより読み捨てられる。これにより、ＩＤ照合部１２が同じＩＤ情報を複数回照合することが無くなるので、ＩＤ照合部が同じＩＤ情報を複数回照合することが無くなり、ＩＤ照合部による照合処理負荷の軽減が図れる。また、閉扉時検出部１５ｂから扉が閉じた情報を受け取ったタイミングでＩＤ情報読み捨て部１１ｂが、読み捨てを一旦停止する。これにより、出入口を通行できていない通行者５のＩＤ情報も再びＩＤ情報検出部１１ａが読み取ることができる。従って、通行者５がＩＤ情報認識エリア３の外に出ることなくＩＤ情報を自動的に再認証することができる。
【００４０】
以上のように、実施の形態１によれば、入退出管理装置は、扉状態検出部、ＩＤ情報再照合部、及び通行許可済み判定部を有している。このような構造を備えることで、ＩＤ情報再照合部が、扉が閉じた（施錠された）タイミングで扉閉後最新ＩＤ情報及び許可済みＩＤ情報を取得し、同一ＩＤ情報を検出することができる。この結果、通行者のＩＤ情報を自動で再認証することができ、これにより通行者の再認証にかかる手間を省くことができるという効果を得ることができる。
【００４１】
また、ＩＣタグ検出部がＩＤ情報読み捨て部１１ｂを有している。このような構造を備えることで、ＩＤ照合部が同じＩＤ情報を複数回照合することが無くなり、ＩＤ照合部による照合処理負荷の軽減が図れるという効果も得ることができる。
【００４２】
実施の形態２．
先の実施の形態１では、ＩＤ情報検出部１１ａがＩＤ情報を読み取ってから扉１が閉じる（施錠される）までの間、ＩＣタグ４は、ＩＣタグ検出部１１のＬＦ送信を受けてＩＤ情報をＲＦ送信し続けて応答している。これに対して、本実施の形態２では、ＩＤ情報検出部１１ａがＩＤ情報を読み取ってから扉１が閉じる（施錠された）までの間に一度読み取られたＩＣタグ４は、ＩＣタグ検出部１１のＬＦ送信を受けても、ＲＦ送信を停止し、応答しない場合について説明する。
【００４３】
図５は、この発明の実施の形態２における入退出管理装置１０を示す構成図である。図５に示すように、先の実施の形態１同様、入退出管理装置１０は、ＩＣタグ検出部１１、ＩＤ照合部１２、通行判定部１３、扉施解錠制御部１４、扉状態検出部１５、ＩＤ情報再照合部１６、及び通行許可済み判定部１７を有している。
【００４４】
ＩＤ照合部１２、通行判定部１３、扉施解錠制御部１４、扉状態検出部１５、ＩＤ情報再照合部１６、及び通行許可済み判定部１７に関しては、先の実施の形態１と同様の構成である。しかし、本実施の形態２のＩＣタグ検出部１１は、ＩＤ情報読み捨て部１１ｂを有していない代わりにＩＣタグ向け指示送信部１１ｃを有している。
【００４５】
ＩＣタグ向け指示送信部１１ｃは、ＩＤ情報検出部１１ａが一度ＩＤ情報を取得したＩＣタグ４に応答停止を指示する情報（応答停止指示情報）を送信する。応答停止指示情報としては、例えば、一度ＩＣタグ検出部１１に応答したとき、扉１が閉じる（施錠される）までの間は、再応答不可とすることが考えられる。ＩＣタグ向け指示送信部１１ｃは、閉扉時検出部１５ｂから扉１が閉じた情報を受けとると、ＩＣタグを再起動する指示の情報を送信する。
【００４６】
図６は、この発明の実施の形態２におけるＩＣタグ検出部１１の動作の例を時間軸上に示した構成図である。図６に示すように、ＩＣタグ検出部１１は、先の実施の形態１同様、常時ＬＦ送信を行ってＩＣタグ４の読み取りを行っている。ＩＣタグ４は、ＩＣタグ向け指示送信部１１ｃからの応答停止指示情報がＬＦ送信にのせて送信されてくるので、ＬＦ送信に対して一度応答すると、応答停止指示情報が停止されるまで、ＩＣタグ４は、ＬＦ送信を受けてもＲＦ送信による応答を停止する。即ち、ＩＣタグ４からＩＣタグ検出部への応答がなくなることになる。
【００４７】
ＩＣタグ向け指示送信部１１ｃが、閉扉時検出部１５ｂにより扉１が閉じられた（施錠された）情報を受け取ったとき、ＬＦ送信にＩＣタグを再起動する指示の情報をのせて送信する。即ち、ＩＣタグ向け指示送信部１１ｃは、扉施解錠制御部１４により扉１が解錠状態から施錠状態に切り替わった後は、応答停止しているＩＣタグに対して、再起動する情報を送っている。これにより、ＩＣタグ４は、再起動し、再び、ＬＦ送信を受けてＩＤ情報をＲＦ送信して応答する。他の構成は、先の実施の形態１と同様である。
【００４８】
本発明の実施の形態２における入退出管理装置１０では、ＩＣタグ検出部１１がＩＣタグ向け指示送信部１１ｃを有しているので、ＩＤ照合部１２が同じＩＤ情報を複数回照合することが無くなる。これにより、ＩＤ照合部１２の動作が効率よく行えるようになるという先の実施の形態１のＩＣタグ検出部１１がＩＤ情報読み捨て部１１ｂを有しているときと同様の効果を得ることができる。
【００４９】
以上のように、実施の形態２によれば、入退出管理装置は、ＩＣタグ検出部がＩＣタグ向け指示送信部を有している。このような構造を備えることでも、先の実施の形態１と同様に、ＩＤ照合部が同じＩＤ情報を複数回照合することが無くなり、ＩＤ照合部による照合処理負荷の軽減が図れるという効果を得ることができる。
【００５０】
なお、本実施の形態１〜２では、入退出管理装置１０が、アンチパス機能を用いていないが、入退出管理装置１０が、アンチパス機能付きでもよい。このときの入退出管理装置１０には、例えば、入退出管理装置１０に時間を測定できるタイマ部等を取り付ける。これにより、一度ＩＤ情報を認識してから一定時間は自動的に再照合可能とすることができるので、通行者５のＩＤ情報が再認証されないことにより、通行者５が管理者に電話して扉を解錠してもらう手間を省くことができる。
【００５１】
また、本実施の形態１〜２では、出入口の扉１に、手動で開閉される開閉扉１を用いているが、これに限らず、自動により開閉される扉１でもよい。
【００５２】
さらに、本実施の形態１〜２では、入退出管理装置１０が、出入口の扉１付近の天井２に設置されているとしているが、これに限るものではない。出入口の扉１から入退出する通行者５を感知できる位置であれば良く、例えば、天井２に近い壁に設置されていてもよい。
【００５３】
また、本実施の形態１〜２では、ＩＣタグ向け指示送信部１１ｃから応答停止指示情報を送信してＩＣタグ４の応答を停止させているが、これに限るものではない。例えば、ＩＣタグ検出部１１からのＬＦ送信を一時的に停止して、ＩＣタグ４の応答を停止してもよい。このとき、扉１が閉じた（施錠された）タイミングで、ＩＣタグ検出部１１からのＬＦ送信が再開されると同時に、ＩＣタグ４の応答も再開する。
【００５４】
また、本実施の形態１〜２では、扉状態検出部１５が、扉１に設けられた扉開閉スイッチから扉１の開閉を検出しているが、これに限るものではない。例えば、出入口付近全体が映るようなカメラ等で撮影した画像処理にて、扉１の開閉を検出してもよい。
【符号の説明】
【００５５】
１  扉、４  ＩＣタグ、５  通行者、１０  入退出管理装置、１１  ＩＣタグ検出部、１２  ＩＤ照合部、１３  通行判定部、１４  扉施解錠制御部、１６  ＩＤ情報再照合部。
【図１】
2014219757.tif 000003
【図２】
2014219757.tif 000004
【図３】
2014219757.tif 000005
【図４】
2014219757.tif 000006
【図５】
2014219757.tif 000007
【図６】
2014219757.tif 000008